(57)【特許請求の範囲】
【請求項１】
筒状のグリップストッパー本体部および前記グリップストッパー本体部の外周面に位置しているフランジ部を有するグリップストッパーと、
一端部側の開口近傍の内周面に位置しているとともに、前記グリップストッパー本体部を収容可能であり、かつ内径が前記フランジ部の外径よりも小さい収容部を有し、合成樹脂からなる筒状のグリップ本体部と、
前記グリップストッパーおよび前記グリップ本体部にそれぞれ挿通可能な柱状のロッド本体部および外径が前記グリップ本体部の他端部側の開口の内径よりも大きい基端部を有するロッドと、
柱状の少なくとも１つのピンと、を備え、
前記グリップストッパーは、前記フランジ部に位置しているとともに、前記少なくとも１つのピンを挿通可能な少なくとも１つのグリップストッパー貫通孔をさらに有し、
前記ロッドは、前記ロッド本体部に位置しているとともに、前記少なくとも１つのピンの外周面の一部を収容可能な少なくとも１つの凹部をさらに有し、
前記グリップストッパー本体部は、前記収容部内に収容されており、
前記ロッド本体部は、前記グリップ本体部および前記グリップストッパーの順に挿通されており、
前記少なくとも１つの凹部は、前記ロッド本体部のうち前記フランジ部によって囲まれている部位において、前記ロッド本体部の周方向に連続した環状とならないように前記ロッドの中心軸に略垂直な方向に延びており、
前記少なくとも１つのグリップストッパー貫通孔は、前記フランジ部のうち前記少なくとも１つの凹部の延長上に位置している部位を貫通しており、
前記少なくとも１つのピンは、長手方向の両端部が前記少なくとも１つのグリップストッパー貫通孔に挿通され、かつ長手方向の中央部に位置している外周面の一部が前記少なくとも１つの凹部内に収容されている、人工関節手術器具用グリップ。
【請求項２】
前記少なくとも１つのピンが、一対のピンであり、
前記少なくとも１つのグリップストッパー貫通孔が、一対のグリップストッパー貫通孔であり、
前記少なくとも１つの凹部が、一対の凹部であり、
前記一対の凹部は、前記中心軸を挟んで互いに対向している、請求項１に記載の人工関節手術器具用グリップ。
【請求項３】
筒状のグリップストッパー本体部および前記グリップストッパー本体部の外周面に位置しているフランジ部を有するグリップストッパーと、
一端部側の開口近傍の内周面に位置しているとともに、前記グリップストッパー本体部を収容可能であり、かつ内径が前記フランジ部の外径よりも小さい収容部を有し、合成樹脂からなる筒状のグリップ本体部と、
前記グリップストッパーおよび前記グリップ本体部にそれぞれ挿通可能な柱状のロッド本体部および外径が前記グリップ本体部の他端部側の開口の内径よりも大きい基端部を有するロッドと、
柱状の少なくとも１つのピンと、を備え、
前記グリップストッパーは、前記フランジ部に位置しているとともに、前記少なくとも１つのピンを挿通可能な少なくとも１つのグリップストッパー貫通孔をさらに有し、
前記ロッドは、前記ロッド本体部に位置しているとともに、前記少なくとも１つのピンを挿通可能な少なくとも１つのロッド貫通孔をさらに有し、
前記グリップストッパー本体部は、前記収容部内に収容されており、
前記ロッド本体部は、前記グリップ本体部および前記グリップストッパーの順に挿通されており、
前記少なくとも１つのロッド貫通孔は、前記ロッド本体部のうち前記フランジ部によって囲まれている部位を、前記ロッドの中心軸に略垂直な方向に貫通しており、かつ前記ロッド本体部の長手方向に沿って延びておらず、
前記少なくとも１つのグリップストッパー貫通孔は、前記フランジ部のうち前記少なくとも１つのロッド貫通孔の延長上に位置している部位を貫通しており、
前記少なくとも１つのピンは、長手方向の両端部が前記少なくとも１つのグリップストッパー貫通孔に挿通され、かつ長手方向の中央部が前記少なくとも１つのロッド貫通孔に挿通されており、
前記グリップストッパーが、前記ロッド本体部の長手方向に沿って移動できないように前記ロッド本体部に固定されている、人工関節手術器具用グリップ。
【請求項４】
前記少なくとも１つのロッド貫通孔は、前記中心軸と交差している、請求項３に記載の人工関節手術器具用グリップ。
【請求項５】
前記中心軸に垂直な方向から見たとき、前記グリップ本体部の前記中心軸に平行な方向における長さが、前記フランジ部および前記基端部の間の距離よりも小さい、請求項１〜４のいずれかに記載の人工関節手術器具用グリップ。
【請求項６】
前記グリップ本体部の前記中心軸に平行な方向における長さが、前記フランジ部および前記基端部の間の距離に対して９５〜９９％である、請求項５に記載の人工関節手術器具用グリップ。
【請求項７】
前記合成樹脂が、ポリフェニルサルフォン樹脂である、請求項１〜６のいずれかに記載の人工関節手術器具用グリップ。
【請求項８】
前記グリップストッパー、前記ロッドおよび前記少なくとも１つのピンがいずれも、金属からなる、請求項１〜７のいずれかに記載の人工関節手術器具用グリップ。
【請求項９】
前記少なくとも１つのグリップストッパー貫通孔を覆うカバーをさらに備える、請求項１〜８のいずれかに記載の人工関節手術器具用グリップ。
【請求項１０】
リング状の底部および前記底部に接続している側壁部を有し、前記側壁部の内面で前記少なくとも１つのグリップストッパー貫通孔を覆うカバーをさらに備え、
前記ロッド本体部は、前記グリップ本体部、前記グリップストッパーおよび前記カバーの順に挿通されている、請求項１〜９のいずれかに記載の人工関節手術器具用グリップ。
【請求項１１】
請求項１〜１０のいずれかに記載の人工関節手術器具用グリップを備える、シェルポジショナー。
【請求項１２】
リング状の底部および前記底部に接続している側壁部を有し、前記側壁部の内面で前記少なくとも１つのグリップストッパー貫通孔を覆うカバーと、
前記底部のうち前記少なくとも１つのグリップストッパー貫通孔側に位置している内面と反対の外面に対向するように前記ロッド本体部に取り付けられるアライメントガイド保持部材と、をさらに備え、
前記アライメントガイド保持部材は、前記外面に対向する端面に位置している少なくとも１つの第１凸部または少なくとも１つの第１凹部を有し、
前記カバーは、前記外面において互いに一定の間隔をおいて位置しており、前記少なくとも１つの第１凸部または前記少なくとも１つの第１凹部に嵌合可能な複数の第２凹部または複数の第２凸部をさらに有する、請求項１１に記載のシェルポジショナー。
【請求項１３】
前記ロッド本体部に取り付けられるとともに、前記アライメントガイド保持部材を前記カバーに向けて付勢する付勢手段をさらに備える、請求項１２に記載のシェルポジショナー。
【請求項１４】
いずれも前記ロッド本体部の先端部に位置しており、人工股関節用シェルのネジ穴に螺合可能なネジ部、および前記ネジ穴の近傍に位置している前記人工股関節用シェルの溝部に係合可能な爪部をさらに備える、請求項１１〜１３のいずれかに記載のシェルポジショナー。
【請求項１５】
前記基端部に取り付けられる被打撃部をさらに備える、請求項１１〜１４のいずれかに記載のシェルポジショナー。
【発明の詳細な説明】
【技術分野】
【０００１】
本発明は、人工関節手術器具用グリップおよびそれを備えるシェルポジショナーに関する。
【背景技術】
【０００２】
人工関節手術器具のグリップは、グリップ性の観点から合成樹脂製のものが多い。例えば、人工股関節を構成するシェルを寛骨の臼蓋に固定するときに使用する手術器具として、シェルポジショナーがある（例えば、特許文献１および非特許文献１参照）。一般的なシェルポジショナーのグリップは、合成樹脂からなる筒状のグリップ本体部に柱状のロッドを挿通し、柱状のピンをグリップ本体部からロッドまで差し込むことによって両者を固定するように構成されている。
【０００３】
しかし、合成樹脂製のグリップ本体部に直接ピンを差し込むと、次のような問題があった。すなわち、繰り返し滅菌処理をすると、グリップ本体部のうちピンが差し込まれる部位を起点にマイクロクラックが発生してグリップ本体部が破損するという問題があった。また、グリップ本体部には比較的大きな外力が加わるため、繰り返し使用すると、グリップ本体部のうちピンが差し込まれる部位が変形し、グリップ本体部からピンが抜け出して脱落するという問題があった。
【先行技術文献】
【特許文献】
【０００４】
【特許文献１】特開平８−２５２２７４号公報
【非特許文献】
【０００５】
【非特許文献１】“ＡＨＦＩＸ  Ｑ３カップ  専用器具の使用方法”、［online］、日本メディカル株式会社、［平成２６年７月３１日検索］、インターネット＜URL:http://kyocera-md.jp/m_professional/yes/medical/pdf/ahfix_q3_v1_1.pdf＞
【発明の概要】
【発明が解決しようとする課題】
【０００６】
本発明の課題は、優れたグリップ性を備えるとともに、長期にわたって安全に使用することができる人工関節手術器具用グリップおよびシェルポジショナーを提供することである。
【課題を解決するための手段】
【０００７】
本発明の人工関節手術器具用グリップは、筒状のグリップストッパー本体部および前記グリップストッパー本体部の外周面に位置しているフランジ部を有するグリップストッパーと、一端部側の開口近傍の内周面に位置しているとともに、前記グリップストッパー本体部を収容可能であり、かつ内径が前記フランジ部の外径よりも小さい収容部を有し、合成樹脂からなる筒状のグリップ本体部と、前記グリップストッパーおよび前記グリップ本体部にそれぞれ挿通可能な柱状のロッド本体部および外径が前記グリップ本体部の他端部側の開口の内径よりも大きい基端部を有するロッドと、柱状の少なくとも１つのピンと、を備え、前記グリップストッパーは、前記フランジ部に位置しているとともに、前記少なくとも１つのピンを挿通可能な少なくとも１つのグリップストッパー貫通孔をさらに有し、前記ロッドは、前記ロッド本体部に位置しているとともに、前記少なくとも１つのピンの外周面の一部を収容可能な少なくとも１つの凹部をさらに有し、前記グリップストッパー本体部は、前記収容部内に収容されており、前記ロッド本体部は、前記グリップ本体部および前記グリップストッパーの順に挿通されており、前記少なくとも１つの凹部は、前記ロッド本体部のうち前記フランジ部によって囲まれている部位において、前記ロッドの中心軸に略垂直な方向に延びており、前記少なくとも１つのグリップストッパー貫通孔は、前記フランジ部のうち前記少なくとも１つの凹部の延長上に位置している部位を貫通しており、前記少なくとも１つのピンは、長手方向の両端部が前記少なくとも１つのグリップストッパー貫通孔に挿通され、かつ長手方向の中央部に位置している外周面の一部が前記少なくとも１つの凹部内に収容されている。
【０００８】
本発明の他の人工関節手術器具用グリップは、筒状のグリップストッパー本体部および前記グリップストッパー本体部の外周面に位置しているフランジ部を有するグリップストッパーと、一端部側の開口近傍の内周面に位置しているとともに、前記グリップストッパー本体部を収容可能であり、かつ内径が前記フランジ部の外径よりも小さい収容部を有し、合成樹脂からなる筒状のグリップ本体部と、前記グリップストッパーおよび前記グリップ本体部にそれぞれ挿通可能な柱状のロッド本体部および外径が前記グリップ本体部の他端部側の開口の内径よりも大きい基端部を有するロッドと、柱状の少なくとも１つのピンと、を備え、前記グリップストッパーは、前記フランジ部に位置しているとともに、前記少なくとも１つのピンを挿通可能な少なくとも１つのグリップストッパー貫通孔をさらに有し、前記ロッドは、前記ロッド本体部に位置しているとともに、前記少なくとも１つのピンを挿通可能な少なくとも１つのロッド貫通孔をさらに有し、前記グリップストッパー本体部は、前記収容部内に収容されており、前記ロッド本体部は、前記グリップ本体部および前記グリップストッパーの順に挿通されており、前記少なくとも１つのロッド貫通孔は、前記ロッド本体部のうち前記フランジ部によって囲まれている部位を、前記ロッドの中心軸に略垂直な方向に貫通しており、前記少なくとも１つのグリップストッパー貫通孔は、前記フランジ部のうち前記少なくとも１つのロッド貫通孔の延長上に位置している部位を貫通しており、前記少なくとも１つのピンは、長手方向の両端部が前記少なくとも１つのグリップストッパー貫通孔に挿通され、かつ長手方向の中央部が前記少なくとも１つのロッド貫通孔に挿通されている。
【０００９】
本発明のシェルポジショナーは、上述した人工関節手術器具用グリップを備える。
【発明の効果】
【００１０】
本発明によれば、優れたグリップ性を備えるとともに、長期にわたって安全に使用することができるという効果がある。
【図面の簡単な説明】
【００１１】
【図１】本発明の一実施形態に係る人工関節手術器具用グリップおよびシェルポジショナーを示す斜視図である。
【図２】図１の人工関節手術器具用グリップおよびシェルポジショナーを示す分解斜視図である。
【図３】図１の人工関節手術器具用グリップおよびシェルポジショナーを示す分解斜視図である。
【図４】図１の人工関節手術器具用グリップおよびシェルポジショナーが備えるグリップ本体部近傍を拡大して示す図であり、（ａ）は平面図、（ｂ）は（ａ）の一部破断面図である。
【図５】図４（ａ）の各線に沿って切断した状態を拡大して示す図であり、（ａ）は図４（ａ）のａ−ａ線に沿って切断した断面図、（ｂ）は図４（ａ）のｂ−ｂ線に沿って切断した断面図である。
【図６】図１の人工関節手術器具用グリップおよびシェルポジショナーが備えるグリップストッパーを拡大して示す図であり、（ａ）は平面図、（ｂ）は（ａ）のｃ−ｃ線に沿って切断した断面図である。
【図７】図１の人工関節手術器具用グリップおよびシェルポジショナーが備えるロッドの凹部近傍を拡大して示す図であり、（ａ）および（ｂ）はロッドの中心軸に垂直な方向から見た図、（ｃ）は（ｂ）のｄ−ｄ線に沿って切断した断面図である。
【図８】本発明の他の実施形態に係る人工関節手術器具用グリップおよびシェルポジショナーを示す分解斜視図である。
【図９】図８の人工関節手術器具用グリップおよびシェルポジショナーが備えるグリップ本体部近傍を拡大して示す図であり、（ａ）は平面図、（ｂ）は（ａ）のｅ−ｅ線に沿って切断した断面図である。
【図１０】図８の人工関節手術器具用グリップおよびシェルポジショナーが備えるロッドのロッド貫通孔近傍を拡大して示す図であり、（ａ）および（ｂ）はロッドの中心軸に垂直な方向から見た図、（ｃ）は（ｂ）のｆ−ｆ線に沿って切断した断面図である。
【発明を実施するための形態】
【００１２】
以下、本発明の一実施形態に係る人工関節手術器具用グリップおよびシェルポジショナーについて、図１〜図７を参照して詳細に説明する。
【００１３】
＜人工関節手術器具用グリップ＞
図１〜図３のうち特に図２および図３に示すように、本実施形態の人工関節手術器具用グリップ（以下、「グリップ」と言うことがある。）１Ａは、グリップストッパー２、グリップ本体部３、ロッド４およびピン５を備えている。以下、グリップ１Ａの各構成部材について、順に説明する。
【００１４】
（グリップストッパー）
グリップストッパー２は、グリップ本体部３が後述するロッド４の基端部４２から遠ざかる方向に移動するのを抑制する部材である。言い換えれば、グリップストッパー２は、グリップ本体部３が後述するロッド本体部４１の先端部４１ａに近づく方向に移動するのを抑制する部材である。グリップストッパー２は、図２、図３および図６に示すように、グリップストッパー本体部２１およびフランジ部２２を有している。
【００１５】
グリップストッパー本体部２１は、筒状の部材である。本実施形態のグリップストッパー本体部２１は、略四角形筒状の部材である。なお、グリップストッパー本体部２１の形状は、上述した形状に限定されるものではなく、例えば円筒状等の他の形状にすることができる。
【００１６】
フランジ部２２は、グリップストッパー本体部２１の外周面２１１に位置している。本実施形態のフランジ部２２は、外周面２１１のうちグリップストッパー本体部２１の端部２１ａ側に位置している。端部２１ａは、グリップストッパー本体部２１を後述するグリップ本体部３の収容部３１内に収容したとき、グリップストッパー本体部２１の長手方向における両端部のうちロッド本体部４１の先端部４１ａに近い側に位置している端部である。なお、フランジ部２２の位置は、上述した位置に限定されるものではなく、所望の位置に配置することができる。
【００１７】
本実施形態のフランジ部２２は、略四角形環状であり、外周面２１１に一体に成形されている。なお、フランジ部２２の形状は、上述した形状に限定されるものではなく、例えば円環状等の他の形状にすることができる。また、フランジ部２２は、グリップストッパー本体部２１と別部材で構成して外周面２１１に取り付けることもできる。
【００１８】
上述したグリップストッパー２の構成材料としては、例えば金属、合成樹脂等が挙げられる。金属としては、例えばステンレス鋼（ＳＵＳ）、チタン合金等が挙げられるが、これらに限定されるものではない。合成樹脂としては、特に限定されるものではなく、所望の合成樹脂を採用することができる。
【００１９】
（グリップ本体部）
グリップ本体部３は、術者の手で握られる部材である。グリップ本体部３は、筒状の部材である。本実施形態のグリップ本体部３は、略円筒状の部材である。なお、グリップ本体部３の形状は、筒状である限り、略円筒状に限定されるものではなく、グリップ性を考慮した所望の形状を採用することができる。
【００２０】
グリップ本体部３は、図２および図４（ａ）に示すように、一端部３ａ側の開口近傍の内周面に位置している収容部３１を有している。収容部３１は、上述したグリップストッパー本体部２１を収容可能に構成されている。また、収容部３１は、その内径Ｄ３１が上述したフランジ部２２の外径Ｄ２２よりも小さく構成されている。収容部３１の内径Ｄ３１とは、グリップ本体部３の長手方向に垂直な方向、言い換えれば後述する中心軸Ｓに垂直な方向における収容部３１の最大寸法のことを意味するものとする。また、フランジ部２２の外径Ｄ２２とは、グリップストッパー２の長手方向に垂直な方向、言い換えれば中心軸Ｓに垂直な方向におけるフランジ部２２の最大寸法のことを意味するものとする。
【００２１】
グリップ本体部３は、合成樹脂からなる。合成樹脂としては、ポリフェニルサルフォン（ＰＰＳＵ）樹脂が好ましい。これにより、グリップ本体部３に耐熱性および耐熱膨張性を付与できることから、滅菌処理に対するグリップ本体部３の耐久性を向上させることができる。ポリフェニルサルフォン樹脂以外の他の合成樹脂としては、例えば人工関節手術器具のグリップに使用可能なプラスチック等が挙げられるが、これに限定されるものではない。
【００２２】
（ロッド）
ロッド４は、グリップ１Ａの芯体を構成し、グリップ１Ａに剛性を付与する部材である。ロッド４は、図１〜図３に示すように、ロッド本体部４１および基端部４２を有している。ロッド本体部４１は、上述したグリップストッパー２およびグリップ本体部３にそれぞれ挿通可能な柱状の部材である。
【００２３】
基端部４２は、ロッド本体部４１と一体に成形してもよいし、ロッド本体部４１と別部材で構成してロッド本体部４１に取り付けてもよい。基端部４２は、図４（ａ）に示すように、その外径Ｄ４２がグリップ本体部３の他端部３ｂ側の開口の内径Ｄ３ｂよりも大きく構成されている。基端部４２の外径Ｄ４２とは、中心軸Ｓに垂直な方向における基端部４２の最大寸法のことを意味するものとする。また、グリップ本体部３の内径Ｄ３ｂとは、グリップ本体部３の長手方向に垂直な方向、言い換えれば中心軸Ｓに垂直な方向における他端部３ｂ側の開口の最大寸法のことを意味するものとする。
【００２４】
本実施形態の基端部４２は、円板状の部材である。なお、基端部４２の形状は、上述した形状に限定されるものではなく、例えば多角形板状等の板状の他、半球状等の曲面状等にすることができる。
【００２５】
上述したロッド４の構成材料としては、例えば金属等が挙げられる。金属としては、上述したグリップストッパー２で例示したのと同じ金属が挙げられる。
【００２６】
（ピン）
ピン５は、グリップストッパー２をロッド本体部４１に固定する部材である。ピン５は、図２および図３に示すように、柱状の部材である。本実施形態のピン５は、円柱状のいわゆる平行ピンである。なお、ピン５の形状は、円柱状に限定されるものではなく、例えば多角柱状等の他の形状にすることができる。
【００２７】
ピン５は、少なくとも１つであればよい。本実施形態では、少なくとも１つのピン５が、一対のピン５，５である。
【００２８】
ピン５の構成材料としては、例えば金属等が挙げられる。金属としては、上述したグリップストッパー２で例示したのと同じ金属が挙げられる。
【００２９】
ここで、本実施形態のグリップ１Ａは、次のような構成を有している。すなわち、図２、図３および図６に示すように、上述したグリップストッパー２が、フランジ部２２に位置しているとともに、ピン５を挿通可能なグリップストッパー貫通孔２３をさらに有している。また、図２、図３および図７に示すように、ロッド４が、ロッド本体部４１に位置しているとともに、ピン５の外周面５１の一部を収容可能な凹部４３をさらに有している。
【００３０】
グリップストッパー貫通孔２３および凹部４３はいずれも、少なくとも１つであればよい。グリップストッパー貫通孔２３および凹部４３のそれぞれの数は、ピン５の数と同一である。本実施形態では、少なくとも１つのピン５が、上述のとおり、一対のピン５，５であることから、少なくとも１つのグリップストッパー貫通孔２３は、一対のグリップストッパー貫通孔２３，２３であり、少なくとも１つの凹部４３は、一対の凹部４３，４３である。
【００３１】
本実施形態のグリップ１Ａは、次のような構成をさらに有している。すなわち、図４（ａ）および図５（ａ）に示すように、グリップストッパー本体部２１が、収容部３１内に収容されている。また、図２〜図５に示すように、ロッド本体部４１が、グリップ本体部３およびグリップストッパー２の順に挿通されている。
【００３２】
そして、ロッド４の一対の凹部４３，４３が、ロッド本体部４１のうちグリップストッパー２のフランジ部２２によって囲まれている部位（図５（ｂ）参照）において、次のような構成を有している。すなわち、一対の凹部４３，４３が、図７（ａ），（ｃ）に示すように、ロッド４の中心軸Ｓに略垂直な方向に延びている。中心軸Ｓとは、ロッド本体部４１の先端部４１ａおよび基端部４２を貫く軸であり、ロッド４を回転させたときに回転軸となる軸を意味するものとする。
【００３３】
本実施形態のグリップ１Ａは、次のような構成をさらに有している。すなわち、図５（ｂ）に示すように、グリップストッパー２の一対のグリップストッパー貫通孔２３，２３が、フランジ部２２のうち一対の凹部４３，４３の延長上に位置している部位を貫通している。そして、一対のピン５，５は、矢印Ａに示す長手方向の両端部５ａ，５ａが一対のグリップストッパー貫通孔２３，２３に挿通され、かつ長手方向の中央部５ｂに位置している外周面５１の一部が一対の凹部４３，４３内に収容されている。これらの構成によれば、以下のような効果が得られる。
【００３４】
すなわち、ピン５の両端部５ａ，５ａがグリップストッパー貫通孔２３に挿通され、かつピン５の中央部５ｂに位置している外周面５１の一部が凹部４３内に収容されていることから、図４（ａ）に示すように、一対のピン５，５によってグリップストッパー２がロッド本体部４１に固定される。その結果、フランジ部２２と基端部４２との間にグリップ本体部３が挟み込まれた状態になり、グリップ本体部３がロッド本体部４１に固定される。上述のとおり、合成樹脂製のグリップ本体部３に直接ピン５を差し込む従来の構成では、繰り返し滅菌処理をすると、グリップ本体部３のうちピン５が差し込まれる部位を起点にマイクロクラックが発生してグリップ本体部３が破損するという問題があった。また、グリップ本体部３には比較的大きな外力が加わるため、繰り返し使用すると、グリップ本体部３のうちピン５が差し込まれる部位が変形し、グリップ本体部３からピン５が抜け出して脱落するという問題があった。本実施形態のグリップ１Ａによれば、上述のとおり、合成樹脂製のグリップ本体部３に直接ピン５を差し込むことなく、グリップ本体部３をロッド本体部４１に固定できることから、合成樹脂製のグリップ本体部３によって優れたグリップ性を発揮しつつ、従来のように合成樹脂製のグリップ本体部３に直接ピン５を差し込むことによる問題を回避して長期にわたり安全な使用が可能となる。
【００３５】
ピン５は、両端部５ａ，５ａがグリップストッパー貫通孔２３に挿通され、かつ中央部５ｂの外周面５１の一部が凹部４３内に収容されている状態で、溶接してもよい。このような構成によれば、ピン５がグリップストッパー貫通孔２３から抜け出して脱落するのを抑制することができる。
【００３６】
また、本実施形態では、図７（ｂ），（ｃ）に示すように、一対の凹部４３，４３が、中心軸Ｓを挟んで互いに対向するように位置している。このような構成によれば、一対のピン５，５によってバランスよくグリップストッパー２をロッド本体部４１に固定することができる。
【００３７】
一方、本実施形態では、図４（ａ）に示すように、中心軸Ｓに垂直な方向から見たとき、グリップ本体部３の中心軸Ｓに平行な方向における長さＬが、フランジ部２２および基端部４２の間の距離Ｗよりも小さい。言い換えれば、ＬおよびＷが、Ｌ＜Ｗの関係を有している。このような構成によれば、グリップ本体部３とフランジ部２２との間およびグリップ本体部３と基端部４２との間に隙間が形成されることから、滅菌処理時にグリップ本体部３が若干熱膨張してグリップ本体部３の長さＬが若干延びたとしても、隙間に収めることができる。また、グリップ本体部３に外力が加わったときには、隙間がクッションとして機能することから、グリップ本体部３が破損するのを抑制することができる。
【００３８】
グリップ本体部３の長さＬは、フランジ部２２および基端部４２の間の距離Ｗよりも若干小さいのが好ましい。具体的には、グリップ本体部３の長さＬは、フランジ部２２および基端部４２の間の距離Ｗに対して９５〜９９％であるのが好ましい。
【００３９】
グリップストッパー２、ロッド４およびピン５はいずれも、金属からなるのが好ましい。このような構成によれば、グリップストッパー２、ロッド４およびピン５の強度を確保でき、グリップ本体部３をロッド本体部４１に強固に固定できることから、長期にわたり安全な使用が可能となる。
【００４０】
本実施形態のグリップ１Ａは、図１〜図４に示すように、一対のグリップストッパー貫通孔２３，２３を覆うカバー６をさらに備えている。このような構成によれば、ピン５がグリップストッパー貫通孔２３から抜け出して脱落するのを抑制することができる。
【００４１】
本実施形態のカバー６は、図２に示すように、リング状の底部６１および底部６１に接続している側壁部６２を有し、図３に示すように、側壁部６２の内面６２ａで一対のグリップストッパー貫通孔２３，２３を覆うように構成されている。また、本実施形態では、ロッド本体部４１がグリップ本体部３、グリップストッパー２およびカバー６の順に挿通されている。
【００４２】
なお、カバー６は、一対のグリップストッパー貫通孔２３，２３を覆っている状態で、溶接してもよい。このような構成によれば、ピン５がグリップストッパー貫通孔２３から抜け出して脱落するのを抑制することができる。また、カバー６は、一対のグリップストッパー貫通孔２３，２３を覆うことが可能な限り、上述した構成に限定されるものではない。
【００４３】
次に、本発明の他の実施形態に係るグリップについて、図８〜図１０を参照して詳細に説明する。なお、図８〜図１０においては、上述した図１〜図７と同一の構成部分には同一の符号を付して説明は省略する場合がある。
【００４４】
図８〜図１０に示すように、本実施形態のグリップ１Ｂは、ロッド４が、凹部４３に代えてロッド貫通孔４４を有している点で、上述した一実施形態と異なっている。具体的に説明すると、本実施形態では、ロッド４が、ロッド本体部４１に位置しているとともに、ピン５を挿通可能なロッド貫通孔４４をさらに有している。
【００４５】
ロッド貫通孔４４は、少なくとも１つであればよい。ロッド貫通孔４４の数は、ピン５の数と同一である。本実施形態では、ピン５の数が１つであることから、ロッド貫通孔４４の数も１つである。なお、本実施形態では、グリップストッパー２が有するグリップストッパー貫通孔２４の数も１つである。
【００４６】
本実施形態のロッド貫通孔４４は、ロッド本体部４１のうちフランジ部２２によって囲まれている部位（図９（ｂ）参照）を、ロッド４の中心軸Ｓに略垂直な方向に貫通している（図１０参照）。また、図９（ｂ）に示すように、グリップストッパー貫通孔２４は、フランジ部２２のうちロッド貫通孔４４の延長上に位置している部位を貫通している。そして、ピン５は、矢印Ａに示す長手方向の両端部５ａ，５ａがグリップストッパー貫通孔２４に挿通され、かつ長手方向の中央部５ｂがロッド貫通孔４４に挿通されている。このような構成によっても、合成樹脂製のグリップ本体部３に直接ピン５を差し込むことなく、グリップ本体部３をロッド本体部４１に固定できることから、合成樹脂製のグリップ本体部３によって優れたグリップ性を発揮しつつ、従来のように合成樹脂製のグリップ本体部３に直接ピン５を差し込むことによる問題を回避して長期にわたり安全な使用が可能となる。
【００４７】
本実施形態では、図１０に示すように、ロッド貫通孔４４が中心軸Ｓと交差している。このような構成によれば、ピン５によってバランスよくグリップストッパー２をロッド本体部４１に固定することができる。
その他の構成は、上述した一実施形態に係るグリップ１Ａと同様であるので、説明を省略する。
【００４８】
＜シェルポジショナー＞
次に、本発明の一実施形態に係るシェルポジショナーについて、上述した一実施形態に係るグリップ１Ａを備える場合を例にとって詳細に説明する。
【００４９】
図１〜図３に示すように、本実施形態のシェルポジショナー１０は、上述したグリップ１Ａを備えている。また、本実施形態のシェルポジショナー１０は、アライメントガイド保持部材１１をさらに備えている。アライメントガイド保持部材１１は、非特許文献１に記載されているように、ロッド本体部４１の先端部４１ａに取り付けられる人工股関節用シェルを最適なアライメント（位置関係）へガイドするアライメントガイド（不図示）を保持する部材である。
【００５０】
本実施形態のアライメントガイド保持部材１１は、図３に示すように、端面１１１を有している。本実施形態では、端面１１１側からアライメントガイド保持部材１１を見たとき、アライメントガイド保持部材１１はロッド本体部４１に係合可能な略Ｃ字状に構成されている。そして、本実施形態のアライメントガイド保持部材１１は、端面１１１が、上述したカバー６の底部６１の外面６１ｂに対向するように、ロッド本体部４１に取り付けられている。なお、底部６１の外面６１ｂは、底部６１のうち一対のグリップストッパー貫通孔２３，２３側に位置している内面６１ａと反対の面である。
【００５１】
アライメントガイド保持部材１１は、図３に示すように、端面１１１に位置している少なくとも１つの第１凸部１１２を有している。本実施形態では、第１凸部１１２の数が複数である。また、カバー６は、図２に示すように、外面６１ｂにおいて互いに一定の間隔をおいて位置しており、少なくとも１つの第１凸部１１２に嵌合可能な複数の第２凹部６３をさらに有している。これらの構成によれば、アライメントガイド保持部材１１をロッド４の中心軸Ｓを中心に回旋させて、第１凸部１１２を所定の第２凹部６３に嵌合させることによって、アライメントガイド保持部材１１のアライメント調整が可能となる。
【００５２】
なお、アライメントガイド保持部材１１およびカバー６における凹凸の構成は、逆にすることができる。すなわち、アライメントガイド保持部材１１が、第１凸部１１２に代えて少なくとも１つの第１凹部を有し、カバー６が、第２凹部６３に代えて少なくとも１つの第１凹部に嵌合可能な複数の第２凸部を有する構成にすることができる。
【００５３】
本実施形態のシェルポジショナー１０は、図２および図３に示すように、ロッド本体部４１に取り付けられるとともに、アライメントガイド保持部材１１をカバー６に向けて付勢する付勢手段１２をさらに備えている。このような構成によれば、アライメント調整されたアライメントガイド保持部材１１の状態を保持することができる。
【００５４】
本実施形態の付勢手段１２は、スプリングである。なお、付勢手段１２は、アライメントガイド保持部材１１を所定の方向に付勢できる限り、スプリングに限定されるものではない。
【００５５】
本実施形態のシェルポジショナー１０は、図１〜図３に示すように、固定部材１３をさらに備えている。固定部材１３は、付勢手段１２を内部に収容可能なキャップ状の部材である。また、固定部材１３は、ロッド本体部４１をスライド可能に挿通しており、ロッド本体部４１の所定位置で固定可能に構成されている。具体的には、本実施形態のロッド４は、図２および図３に示すように、ロッド本体部４１のうち凹部４３近傍に位置している雄ネジ部４５をさらに有している。本実施形態の固定部材１３は、雄ネジ部４５に螺合可能な雌ネジ部（不図示）を内周面に有しており、雌ネジ部を雄ネジ部４５に螺合させることによってロッド本体部４１の所定位置で固定可能に構成されている。
【００５６】
図１〜図３に示すように、本実施形態のシェルポジショナー１０は、いずれもロッド本体部４１の先端部４１ａに位置しているネジ部１４および爪部１５をさらに備えている。ネジ部１４は、非特許文献１に記載されているような人工股関節用シェルのネジ穴（不図示）に螺合可能な部位である。爪部１５は、ネジ穴の近傍に位置している人工股関節用シェルの溝部（不図示）に係合可能な部位である。これらの構成によれば、ロッド本体部４１の先端部４１ａに人工股関節用シェルを取り付けることができる。なお、シェルポジショナー１０は、ロッド本体部４１の先端部４１ａに人工股関節用シェルを取り付け可能な限り、上述した構成に限定されるものではない。
【００５７】
本実施形態のシェルポジショナー１０は、図１〜図４に示すように、ロッド４の基端部４２に取り付けられる被打撃部１６をさらに備えている。被打撃部１６は、ハンマーによって叩かれる部位である。したがって、本実施形態のシェルポジショナー１０は、グリップ本体部３がハンマーによって叩かれる被打撃部１６の近傍に位置していることから、グリップ本体部３が比較的大きな衝撃を受け易い構成である。本実施形態では、従来のように合成樹脂製のグリップ本体部３に直接ピン５を差し込むことなくグリップ本体部３をロッド本体部４１に固定していることから、比較的大きな衝撃を受けたとしてもグリップ本体部３の破損およびピン５の脱落を抑制することができる。
【００５８】
本実施形態の被打撃部１６は、基端部４２に一体に成形されている。このような構成によれば、ハンマーで叩いたときの衝撃によって被打撃部１６が基端部４２から脱落するのを抑制することができる。なお、被打撃部１６は、基端部４２と別部材で構成して基端部４２に取り付けることもできる。
【００５９】
本実施形態では、シェルポジショナー１０がグリップ１Ａを備える場合を例にとって説明したが、これに代えて、図８に示すように、シェルポジショナー１０がグリップ１Ｂを備える構成にしても同様の効果が得られる。
【００６０】
以上、本発明に係るいくつかの実施形態について例示したが、本発明は上述した実施形態に限定されるものではなく、本発明の要旨を逸脱しない限り任意のものとすることができることは言うまでもない。
【００６１】
例えば上述した実施形態において、ロッド本体部４１を、筒状のアウターロッド、およびアウターロッドに挿通可能な柱状のインナーロッドを備える２重構造にすることができる。この実施形態では、被打撃部１６を基端部４２と別部材で構成し、被打撃部１６にインナーロッドを接続し、基端部４２にアウターロッドを接続するのが好ましい。また、基端部４２にアウターロッドの内部に連通する貫通孔を形成するのが好ましい。そして、インナーロッドの先端部にネジ部１４、アウターロッドの先端部に爪部１５を備える構成にするのが好ましい。これらの構成によれば、アウターロッドに対してインナーロッドを回転させることができるので、非特許文献１に記載されているような人工股関節用シェルのネジ穴への螺合を容易に行うことができる。
【００６２】
また、上述した実施形態において、ピン５の外周面５１に雄ネジ部を形成し、この雄ネジ部に螺合可能な雌ネジ部を、グリップストッパー貫通孔２３，２４に形成することができる。このような構成によれば、雌ネジ部を雄ネジ部に螺合させることによってピン５がグリップストッパー貫通孔２３，２４から抜け出して脱落するのを抑制することができる。これと同様に、ピン５の雄ネジ部に螺合可能な雌ネジ部を、凹部４３およびロッド貫通孔４４に形成することができる。
【００６３】
また、上述した実施形態において、ロッド４にグリップストッパー２を溶接等によって固定してもよいし、ロッド４およびグリップストッパー２を一体に成形してもよい。これらの構成によれば、ピン５を省略することができるので、グリップ１Ａ，１Ｂを構成する部材の数を減らして、グリップ１Ａ，１Ｂの構成を簡単にすることができる。
【００６４】
また、上述した実施形態では、グリップ１Ａ，１Ｂがシェルポジショナー１０に使用される場合を例に挙げて説明したが、グリップ１Ａ，１Ｂの用途はこれに限定されるものではなく、他の人工関節手術器具のグリップとしても好適に使用することができる。
【符号の説明】
【００６５】
１Ａ  人工関節手術器具用グリップ
１Ｂ  人工関節手術器具用グリップ
２  グリップストッパー
２１  グリップストッパー本体部
２１ａ  端部
２１１  外周面
２２  フランジ部
２３  グリップストッパー貫通孔
２４  グリップストッパー貫通孔
３  グリップ本体部
３ａ  一端部
３ｂ  他端部
３１  収容部
４  ロッド
４１  ロッド本体部
４１ａ  先端部
４２  基端部
４３  凹部
４４  ロッド貫通孔
４５  雄ネジ部
５  ピン
５ａ  端部
５ｂ  中央部
５１  外周面
６  カバー
６１  底部
６１ａ  内面
６１ｂ  外面
６２  側壁部
６２ａ  内面
６３  第２凹部
１０  シェルポジショナー
１１  アライメントガイド保持部材
１１１  端面
１１２  第１凸部
１２  付勢手段
１３  固定部材
１４  ネジ部
１５  爪部
１６  被打撃部
【図１】
0006407619.tif 000002
【図２】
0006407619.tif 000003
【図３】
0006407619.tif 000004
【図４】
0006407619.tif 000005
【図５】
0006407619.tif 000006
【図６】
0006407619.tif 000007
【図７】
0006407619.tif 000008
【図８】
0006407619.tif 000009
【図９】
0006407619.tif 000010
【図１０】
0006407619.tif 000011